(57)【要約】広帯域無線接続システムで２つ以上の呼び出しグループに属している基地局を通じて遊休モードに切り替えようとする移動端末に呼び出し情報を割り当てる方法と、遊休モード状態の移動端末の呼び出し情報を変更する方法を改善して遊休モードを效率的に制御できる方法を提供する。２つ以上の呼び出しグループに属する基地局は、遊休モードを要請する移動端末に自身の属している全ての呼び出しグループに対する呼び出し情報を割り当てる、または、呼び出しロードの最も小さい呼び出しグループの呼び出し情報を割り当て、前記呼び出し情報を受信した移動端末は、各呼び出し情報が含む呼び出し周期と呼び出しオフセットに基づいて呼び出しメッセージを受信するための下り同期を合わせ、前記呼び出しメッセージを通じて遊休モード状態の移動端末の呼び出し情報を変更する。
2008503978.tif 000002
【特許請求の範囲】
【請求項１】
広帯域無線接続システムで２つ以上の呼び出しグループ（Ｐａｇｉｎｇ  Ｇｒｏｕｐ）に属する基地局による遊休モード制御方法において、
移動端末から遊休モード（Ｉｄｌｅ  Ｍｏｄｅ）への切り替えを要求するメッセージを受信する段階と、
前記移動端末に前記基地局の属した全ての呼び出しグループに対する呼び出し情報を転送する段階と、
前記基地局の属した各呼び出しグループの呼び出し情報によって前記移動端末に呼び出しメッセージを転送する段階と、
を備える、広帯域無線接続システムにおける遊休モード制御方法。
【請求項２】
前記２つ以上の呼び出しグループに属する他の基地局に、前記端末が遊休モードに切り替えられたことを通知する段階をさらに備えることを特徴とする、請求項１に記載の広帯域無線接続システムにおける遊休モード制御方法。
【請求項３】
前記移動端末に転送する下りトラフィックが発生した場合、前記２つ以上の呼び出しグループに属する他の基地局に、前記移動端末への下りトラフィックが発生したことを通知する段階と、
前記移動端末に遊休モードを終了し、ネットワーク再接続をするように指示する段階と、
をさらに備えることを特徴とする、請求項２に記載の広帯域無線接続システムにおける遊休モード制御方法。
【請求項４】
前記呼び出し情報は、呼び出しグループＩＤ、呼び出し周期及び呼び出しオフセット（Ｐａｇｉｎｇ  Ｏｆｆｓｅｔ）を含むことを特徴とする、請求項１に記載の広帯域無線接続システムにおける遊休モード制御方法。
【請求項５】
前記呼び出し情報は、遊休モード応答メッセージを通じて転送されることを特徴とする、請求項４に記載の広帯域無線接続システムにおける遊休モード制御方法。
【請求項６】
広帯域無線接続システムで２つ以上の呼び出しグループ（Ｐａｇｉｎｇ  Ｇｒｏｕｐ）に属する基地局による遊休モード制御方法において、
移動端末から遊休モードへの切り替えを要求するメッセージを受信する段階と、
前記基地局の属した各呼び出しグループの呼び出しロード（Ｐａｇｉｎｇ  Ｌｏａｄ）を比較する段階と、
前記比較結果に基づいて少なくとも１つの呼び出しグループの呼び出し情報を前記移動端末に転送する段階と、
前記少なくとも１つの呼び出しグループの呼び出し情報によって呼び出しメッセージを転送する段階と、
を備える、広帯域無線接続システムにおける遊休モード制御方法。
【請求項７】
前記呼び出しロードの小さいものを基準にして少なくとも１つの呼び出しグループの呼び出し情報を前記移動端末に転送することを特徴とする、請求項６に記載の広帯域無線接続システムにおける遊休モード制御方法。
【請求項８】
前記呼び出しロードの最も小さい一つの呼び出しグループの呼び出し情報を、前記移動端末に転送することを特徴とする、請求項７に記載の広帯域無線接続システムにおける遊休モード制御方法。
【請求項９】
前記呼び出し情報は、呼び出しグループＩＤ、呼び出し周期及び呼び出しオフセット（Ｐａｇｉｎｇ  Ｏｆｆｓｅｔ）を含むことを特徴とする、請求項６に記載の広帯域無線接続システムにおける遊休モード制御方法。
【請求項１０】
前記呼び出し情報は、遊休モード応答メッセージを通じて転送されることを特徴とする、請求項９に記載の広帯域無線接続システムにおける遊休モード制御方法。
【請求項１１】
広帯域無線接続システムで基地局が移動端末に呼び出し情報を転送する方法において、
遊休モードへの切り替えを要請する端末に第１呼び出し情報を転送する段階と、
前記第１呼び出し情報によって転送される呼び出しメッセージを通じて変更された第２呼び出し情報を転送する段階と、
前記第２呼び出し情報による呼び出しメッセージを転送する段階と、
を備える、広帯域無線接続システムにおける遊休モード制御方法。
【請求項１２】
前記基地局の属する呼び出しグループの他の基地局に、前記移動端末に対する呼び出し情報が前記第２呼び出し情報に変更されたことを通知する段階をさらに備えることを特徴とする、請求項１１に記載の広帯域無線接続システムにおける遊休モード制御方法。
【請求項１３】
前記他の基地局が前記移動端末に、前記第２呼び出し情報による呼び出しメッセージを転送する段階をさらに備えることを特徴とする、請求項１２に記載の広帯域無線接続システムにおける遊休モード制御方法。
【請求項１４】
前記呼び出し情報は、呼び出しグループＩＤ、呼び出し周期及び呼び出しオフセット（Ｐａｇｉｎｇ  Ｏｆｆｓｅｔ）を含むことを特徴とする、請求項１１に記載の広帯域無線接続システムにおける遊休モード制御方法。
【請求項１５】
前記呼び出し情報は、遊休モード応答メッセージを通じて転送されることを特徴とする、請求項１４に記載の広帯域無線接続システムにおける遊休モード制御方法。
【請求項１６】
広帯域無線接続システムの移動端末における遊休モード制御方法において、
２つ以上の呼び出しグループに属する基地局から、該基地局の属した２つ以上の呼び出しグループに対する呼び出し情報を受信する段階と、
前記基地局の属した各呼び出しグループの呼び出し情報によって前記基地局から転送される２つ以上の呼び出しメッセージを受信する段階と、
前記２つ以上の呼び出しメッセージによって指示される動作を行う段階と、
を備える、広帯域無線接続システムにおける遊休モード制御方法。
【請求項１７】
前記２つ以上の呼び出しグループのうち特定呼び出しグループにのみ属する他の基地局領域へ移動したことを感知する段階と、
前記特定呼び出しグループの呼び出し情報による呼び出しメッセージのみを受信する段階と、
をさらに備えることを特徴とする、請求項１６に記載の広帯域無線接続システムにおける遊休モード制御方法。
【請求項１８】
前記呼び出し情報は、呼び出しグループＩＤ、呼び出し周期及び呼び出しオフセット（Ｐａｇｉｎｇ  Ｏｆｆｓｅｔ）を含むことを特徴とする、請求項１６に記載の広帯域無線接続システムにおける遊休モード制御方法。
【請求項１９】
前記呼び出し情報は、遊休モード応答メッセージを通じて転送されることを特徴とする、請求項１８に記載の広帯域無線接続システムにおける遊休モード制御方法。
【請求項２０】
広帯域無線接続システムの移動端末における遊休モード制御方法において、
基地局に遊休モードへの切り替えを要請する段階と、
前記基地局から第１呼び出し情報を受信する段階と、
前記第１呼び出し情報によって転送される呼び出しメッセージを通じて変更された第２呼び出し情報を受信する段階と、
前記第２呼び出し情報による呼び出しメッセージを受信する段階と、
前記呼び出しメッセージによって指示される動作を行う段階と、
を備える、広帯域無線接続システムにおける遊休モード制御方法。
【請求項２１】
前記第１呼び出し情報及び第２呼び出し情報は、呼び出しグループＩＤ、呼び出し周期及び呼び出しオフセット（Ｐａｇｉｎｇ  Ｏｆｆｓｅｔ）を含むことを特徴とする、請求項２０に記載の広帯域無線接続システムにおける遊休モード制御方法。
【請求項２２】
前記第１呼び出し情報は、遊休モード応答メッセージを通じて転送されることを特徴とする、請求項２１に記載の広帯域無線接続システムにおける遊休モード制御方法。
【発明の詳細な説明】
【技術分野】
【０００１】
本発明は、広帯域無線接続システム（Ｂｒｏａｄｂａｎｄ  Ｗｉｒｅｌｅｓｓ  Ａｃｃｅｓｓ  Ｓｙｓｔｅｍ）に関するものである。より具体的には、本発明は、広帯域無線接続システムで呼び出し情報の転送方法を改善して、基地局または移動端末で遊休モード（Ｉｄｌｅ  Ｍｏｄｅ）を效率的に制御できるようにする広帯域無線接続システムにおける遊休モード制御方法に関する。
【背景技術】
【０００２】
一般に、広帯域無線接続システムでは、移動端末（ＭＳＳ：Ｍｏｂｉｌｅ  Ｓｕｂｓｃｒｉｂｅｒ  Ｓｔａｔｉｏｎ、以下、‘端末’という。）の電力消耗を最小化するために、遊休モード（Ｉｄｌｅ  Ｍｏｄｅ）を支援する。この遊休モードにおいて呼び出し領域（Ｐａｇｉｎｇ  Ｚｏｎｅ）は、一つの呼び出しグループ（Ｐａｇｉｎｇ  Ｇｒｏｕｐ）に含まれる複数の基地局が担当する全体領域と定義され、同一の呼び出し領域に含まれる基地局は、同じ値の呼び出し周期（Ｐａｇｉｎｇ＿Ｃｙｃｌｅ）と呼び出しオフセット（Ｐａｇｉｎｇ＿Ｏｆｆｓｅｔ）を有する。
【０００３】
端末は基地局に遊休モードへの切り替えを要請でき、当該基地局は自分の呼び出しグループＩＤ（Ｐａｇｉｎｇ＿ｇｒｏｕｐ  ＩＤ）とそれに該当する呼び出し周期及び呼び出しオフセットを端末に伝達することによって、前記端末は遊休モード状態に切り替え可能になる。この遊休モードの間、端末は、前記呼び出し周期ごとに基地局から放送（ｂｒｏａｄｃａｓｔ）形態で伝達される呼び出しから、続いて遊休モードを維持するか、終了するかを判断できる。
【０００４】
遊休モードにある端末に転送すべきトラフィックが発生した場合、該端末はいつでも遊休モードを終了でき、基地局に、遊休モードにある端末へ転送すべきトラフィックが発生した場合、該基地局は、呼び出し（ｐａｇｉｎｇ）を通じて、前記端末が遊休モードを終了するようにすることができる。また、遊休モードにある端末が、他の呼び出し領域へ移動したり同期を失ったりする理由から、定められた時間に基地局から呼び出しを受信できない場合、該端末は遊休モードを終了する。
【０００５】
遊休モードの間、端末は、同じ呼び出し領域に含まれる基地局間の移動時にハンドオフ手順を行う必要がなく、前記ハンドオフ手順を行うための上り情報を基地局に転送しなくて済むため、電力消耗が節減できる。すなわち、遊休モードにある端末は、送受信すべき情報がない間には基地局から周期的に呼び出しを受信するため、同じ呼び出し領域内ではハンドオフ手順なしにも自由な移動が保障される。
【０００６】
以下、従来技術による端末の遊休モードへの切り替え過程について詳細に説明する。
【０００７】
まず、端末が遊休モードに切り替えるために、サービス基地局へ遊休モード要請メッセージを転送する。当該サービス基地局は、呼び出しグループＩＤと呼び出し周期、呼び出しオフセット値を遊休モード応答メッセージを通して前記端末へ転送し、該端末との接続情報及び該端末に割り当てられた無線資源などを解除する。
【０００８】
表１は、基地局が、遊休モードへの切り替えを要請する端末へ転送する遊休モード応答メッセージフォーマットの一例で、既存の登録解除命令（ＤＲＥＧ−ＣＭＤ）メッセージを用いて表したものである。
【０００９】
【表１】
2008503978.tif 000003
表２及び表３にはそれぞれ、前記登録解除命令メッセージの活動コード（Ａｃｔｉｏｎ  Ｃｏｄｅ）に対する定義とＴＬＶエンコーディング（ｅｎｃｏｄｉｎｇ）のフォーマットの一例を示す。
【００１０】
【表２】
2008503978.tif 000004
【００１１】
【表３】
2008503978.tif 000005
前記登録解除命令の活動コード（Ａｃｔｉｏｎ  Ｃｏｄｅ）が遊休モード許可に該当する０ｘ０５と設定されると、表３に示すような呼び出し情報が前記登録解除命令メッセージに含まれて前記端末へ転送される。
【００１２】
前記基地局は、遊休モードに切り替える端末のＭＡＣアドレスを自身の属する呼び出しグループの基地局に知らせることによって、これら基地局が同じ呼び出し周期及び呼び出しオフセットで該当の端末を呼び出しできるようにする。
【００１３】
前記遊休モード応答メッセージを通して基地局から遊休モードへの切り替えが許可された端末は、前記呼び出し周期によって前記基地局から転送される放送形態の呼び出しメッセージを通して自身に転送される下りトラフィックが存在するか、レインジング（Ｒａｎｇｉｎｇ）を行わなければならないか、または、続いて遊休モード状態を維持しなければならないかを判断する。
【００１４】
前記端末が前記呼び出しメッセージを通して下りトラフィックが存在することを確認すると、遊休モード状態を終了し、ネットワークに再登録して下りリンクデータを受信する。前記端末が、前記呼び出しメッセージを通してレインジングを行うように要請されると、前記レインジングを行って、前記端末の位置及び有効な遊休モードの端末リストを基地局が更新するようにする。前記端末が前記呼び出しメッセージを通して所定の動作要請を受信しなかった場合は、遊休モード状態を維持し続ける。
【００１５】
前記端末が他の呼び出しグループの基地局へ移動したり上りトラフィックまたは下りトラフィック発生によって遊休モードを終了することになると、前記端末の属していた基地局は、同じ呼び出しグループに属した基地局にそれを知らせて、遊休モード端末リストから該当の端末を削除する。
【００１６】
表４には、従来技術によって遊休モード状態にある端末が一定の周期に呼び出しグループの基地局らから受信する放送形態の呼び出しメッセージのデータフォーマットの一例を示す。
【００１７】
【表４】
2008503978.tif 000006
前記呼び出しメッセージは、転送する基地局の論理的所属を表す呼び出しグループＩＤを含み、前記端末は、移動端末ＭＡＣアドレスハッシュ（ＭＳＳ  ＭＡＣ  ａｄｄｒｅｓｓ  ｈａｓｈ）で区分され、一つの呼び出しメッセージは一つ以上のＭＡＣアドレスを含む。また、前記呼び出しメッセージは、前記移動端末ＭＡＣアドレスハッシュで区分される各端末に対して活動コード（Ａｃｔｉｏｎ  Ｃｏｄｅ）を転送する。前記活動コードは、前記遊休状態にある端末が取るべき次の動作を指示する。
【発明の開示】
【発明が解決しようとする課題】
【００１８】
上記のような従来技術による遊休モード状態の移動端末へ呼び出し情報を割り当て方法は、下記のような問題点を抱えていた。
【００１９】
第一に、呼び出しグループと呼び出しグループ間の境界にある基地局で遊休モードへ切り替える端末は、電力消耗が大きくなる恐れがある。
【００２０】
すなわち、前記呼び出しグループと呼び出しグループ間の境界にある基地局は、柔軟な網設計を可能にするために２つ以上の呼び出しグループＩＤを持つことができ、これにより２つ以上の呼び出し周期と呼び出しオフセットを持つことができる。すなわち、前記呼び出しグループと呼び出しグループ間の境界にある基地局は、２つ以上の呼び出しグループに属することができる。
【００２１】
前記２つ以上の呼び出しグループに属する基地局は、端末から遊休モード要請を受信すると、自身の属した呼び出しグループＩＤのうち任意の呼び出しグループＩＤ、それに相応する呼び出し周期及び呼び出しオフセットを割り当てて、遊休モード応答メッセージを通して前記端末に転送する。しかしながら、前記呼び出しグループの境界にある基地局を通して遊休モードに切り替えた端末は、自身も呼び出しグループの境界に存在する可能性が大きいため、短時間内に前記割り当てられた呼び出しグループから他の呼び出しグループへ移動する可能性が非常に大きい。
【００２２】
特定呼び出しグループの割り当てられた遊休モード端末が他の呼び出しグループに属する基地局へ移動すると、呼び出し周期が変わり、移動前に割り当てられた呼び出しグループから転送される呼び出しメッセージを受信できない場合が発生するだけでなく、遊休モードを終了して正常動作状態に切り替えなければならない。
【００２３】
すなわち、前記呼び出しグループ同士間の境界にある基地局を通して遊休モードに切り替えた端末は、短時間内に遊休モードを終了して正常動作状態に切り替えなければならない可能性が大きく、新規に移動した呼び出しグループに属した基地局を通して遊休モードに切り替えるために上りリンクメッセージまたは下りリンクメッセージを送受信しなければならず、電力消耗が増加するという問題があった。
【００２４】
第二、基地局は、端末が遊休モードに切り替える時に割り当てた最初の呼び出し周期及び呼び出しオフセットを、前記端末が遊休モードを維持する間には変更できないため、前記基地局の呼び出しロード（ｐａｇｉｎｇ  ｌｏａｄ）を調節し難い。
【００２５】
第三、２つ以上の呼び出しグループＩＤを持つ基地局が端末に呼び出し情報を割り当てる場合、どの呼び出しグループ情報を端末に割り当てるかに対する具体的な基準がない。すなわち、２つ以上の呼び出しグループの中で１つの呼び出し情報のみを割り当てる場合、呼び出しグループの呼び出しロードを考慮せずに任意に呼び出しグループを選択して呼び出し情報を割り当てる。
【００２６】
したがって、本発明の目的は、２つ以上の呼び出しグループＩＤを持つ基地局を通して遊休モードに切り替える移動端末に対して呼び出し情報を效率的に転送して遊休モードを制御する広帯域無線接続システムにおける遊休モード制御方法を提供することにある。
【００２７】
本発明の他の目的は、基地局が呼び出しメッセージを通して遊休モード端末の呼び出し情報を必要によって変更できる広帯域無線接続システムにおける遊休モード制御方法を提供することにある。
【００２８】
本発明のさらに他の目的は、２つ以上の呼び出しグループＩＤを持つ基地局が、遊休モードに切り替える移動端末に呼び出し情報を割り当てる時、呼び出しロードバランスを達成するように呼び出しグループを選択して割り当てる広帯域無線接続システムにおける遊休モード制御方法を提供することにある。
【課題を解決するための手段】
【００２９】
本発明の一様相として、本発明による広帯域無線接続システムにおける遊休モード制御方法は、広帯域無線接続システムで２つ以上の呼び出しグループ（Ｐａｇｉｎｇ  Ｇｒｏｕｐ）に属する基地局による遊休モード制御方法において、移動端末から遊休モード（Ｉｄｌｅ  Ｍｏｄｅ）への切り替えを要求するメッセージを受信する段階と、前記移動端末に前記基地局の属した全ての呼び出しグループに対する呼び出し情報を転送する段階と、前記基地局の属した各呼び出しグループの呼び出し情報によって前記移動端末に呼び出しメッセージを転送する段階と、を備えて構成されることを特徴とする。
【００３０】
本発明の他の様相として、本発明による広帯域無線接続システムにおける遊休モード制御方法は、広帯域無線接続システムで２つ以上の呼び出しグループ（Ｐａｇｉｎｇ  Ｇｒｏｕｐ）に属する基地局による遊休モード制御方法において、移動端末から遊休モードへの切り替えを要求するメッセージを受信する段階と、前記基地局の属した各呼び出しグループの呼び出しロード（Ｐａｇｉｎｇ  Ｌｏａｄ）を比較する段階と、前記比較結果によって、少なくとも１つの呼び出しグループの呼び出し情報を前記移動端末に転送する段階と、前記少なくとも１つの呼び出しグループの呼び出し情報によって呼び出しメッセージを転送する段階と、を備えて構成されることを特徴とする。
【００３１】
本発明のさらに他の様相として、本発明による広帯域無線接続システムにおける遊休モード制御方法は、広帯域無線接続システムで基地局が移動端末に呼び出し情報を転送する方法において、遊休モードへの切り替えを要請する端末に第１呼び出し情報を転送する段階と、前記第１呼び出し情報によって転送される呼び出しメッセージを通じて変更された第２呼び出し情報を転送する段階と、前記第２呼び出し情報による呼び出しメッセージを転送する段階と、を備えて構成されることを特徴とする。
【００３２】
本発明のさらに他の様相として、本発明による広帯域無線接続システムにおける遊休モード制御方法は、広帯域無線接続システムの移動端末における遊休モード制御方法において、基地局に遊休モードへの切り替えを要請する段階と、前記基地局から第１呼び出し情報を受信する段階と、前記第１呼び出し情報によって転送される呼び出しメッセージを通じて変更された第２呼び出し情報を受信する段階と、前記第２呼び出し情報による呼び出しメッセージを受信する段階と、前記呼び出しメッセージによって指示される動作を行う段階と、を備えて構成されることを特徴とする。
【００３３】
本発明のさらに他の様相として、本発明による広帯域無線接続システムにおける遊休モード制御方法は、広帯域無線接続システムの移動端末における遊休モード制御方法において、基地局に遊休モードへの切り替えを要請する段階と、前記基地局から第１呼び出し情報を受信する段階と、前記第１呼び出し情報によって転送される呼び出しメッセージを通じて変更された第２呼び出し情報を受信する段階と、前記第２呼び出し情報による呼び出しメッセージを受信する段階と、前記呼び出しメッセージによって指示される動作を行う段階と、を備えて構成されることを特徴とする。
【００３４】
（産業上の利用可能性）
本発明は、広帯域無線接続システムに限定して用いられるものではなく、遊休モードを支援する無線通信システムにも適用可能なもので、下記の効果を有する。
【００３５】
本発明による広帯域無線接続システムにおける呼び出し情報割り当て方法によれば、２つ以上の呼び出しグループに属している基地局を通じて移動端末が遊休モードに切り替える場合、前記移動端末に前記基地局の属している全ての呼び出しグループの呼び出し情報を割り当てるため、前記移動端末が前記呼び出しグループのうち他の呼び出しグループの基地局へ移動しても、遊休モードを終了せずに維持でき、かつ、端末の電力消耗を最小限にすることが可能になる。
【００３６】
また、本発明による広帯域無線接続システムにおける呼び出し情報割り当て方法によれば、２つ以上の呼び出しグループに属している基地局を通じて移動端末が遊休モードに切り替える場合、前記基地局の属している呼び出しグループのうち、呼び出しロードの小さい呼び出しグループの呼び出し情報を優先的に前記移動端末に割り当てるため、前記呼び出しロードをバランスさせることが可能になる。
【００３７】
また、本発明による広帯域無線接続システムにおける呼び出し情報割り当て方法によれば、基地局が端末を遊休モードに切り替える場合だけでなく、前記端末が遊休モードを維持する間にも、呼び出しメッセージを通じて各端末の呼び出し周期と呼び出しオフセットを変更可能にしたため、遊休モードを運営する基地局は、端末に対する制御を柔軟にでき、呼び出しメッセージのロードバランス（ｌｏａｄ  ｂａｌａｎｃｉｎｇ）を制御して網資源を效率的に利用することが可能になる。
【発明を実施するための最良の形態】
【００３８】
以下、添付の図面を参照して、本発明に係る広帯域無線接続システムにおける遊休モード制御方法の好適な実施例について詳細に説明する。
【００３９】
本発明の一特徴は、２つ以上の呼び出しグループＩＤを持つ基地局は、遊休モードに切り替える端末へ、前記基地局の属する全ての呼び出しグループＩＤとそれに該当する呼び出し情報を割り当てることである。すなわち、前記基地局は、端末に転送する遊休モード応答メッセージに、自身の属する全ての呼び出しグループの呼び出し情報を含めて転送し、自身の属する呼び出しグループの他の基地局にバックボーン（ｂａｃｋｂｏｎｅ）メッセージを転送して、該当の端末を各基地局の遊休モード端末リストに追加するようにする。このとき、前記呼び出し情報は、呼び出しグループＩＤ、呼び出し周期及び呼び出しオフセットを含むことが好ましい。
【００４０】
前記基地局から２つ以上の呼び出しグループに対する呼び出し情報を受信した端末は、それぞれの呼び出し情報に含まれた呼び出し周期と呼び出しオフセットに基づいて呼び出しメッセージを受信するための同期を合わせる。例えば、前記端末に２つの呼び出しグループＩＤが割り当てられた場合、該端末は、各呼び出しグループから転送される呼び出しメッセージを全て受信するために、それぞれの呼び出しグループに該当する周期とオフセットを用いて２つの下り同期を合わせる。
【００４１】
本発明の一特徴として、２つ以上の呼び出しグループＩＤを持つ基地局は、遊休モードに切り替える端末に、前記基地局に属した呼び出しグループのうち、呼び出しロードの小さい呼び出しグループＩＤとそれに該当する呼び出し情報を割り当てることができる。
【００４２】
なお、本発明の他の特徴として、基地局は、放送形態の呼び出しメッセージを通して呼び出しグループＩＤ、呼び出し周期及び呼び出しオフセットのような端末の呼び出し情報を変更する。この時、前記基地局は、前記呼び出しメッセージに変更された呼び出し周期と呼び出しオフセットを含めて転送し、前記呼び出しメッセージに含まれた活動コードを通して前記端末が呼び出し情報を変更できるようにすることが好ましい。
【００４３】
図１は、本発明の一実施例による広帯域無線接続システムにおける呼び出し情報割り当て方法を示すフローチャートで、２つ以上の呼び出しグループに属する基地局セル内にある移動端末が遊休モードに切り替える場合を示す。
【００４４】
図１に示すように、前記端末ＭＳＳは、遊休モードに切り替えるために、自身の属する第１基地局ＢＳ１に遊休モード要請ＤＲＥＧ−ＲＥＱメッセージを転送する（Ｓ１１）。前記第１基地局は、第１呼び出しグループ及び第２呼び出しグループの２つの呼び出しグループに属する基地局である。
【００４５】
前記遊休モード要請メッセージを受信した前記第１基地局は、自身の属する呼び出しグループに対する呼び出しグループＩＤ、呼び出し周期、呼び出しオフセットを含む呼び出し情報を、遊休モード応答ＤＲＥＧ−ＣＭＤメッセージを通じて前記端末に転送し、該端末が遊休モードに切り替えるのを許可する。この時、前記第１基地局は、前記第１呼び出しグループ及び第２呼び出しグループに属するので、前記第１呼び出しグループ及び第２呼び出しグループ情報を前記端末に転送する（Ｓ１２）。
【００４６】
前記第１基地局は、自身の属する呼び出しグループ、すなわち、前記第１呼び出しグループ及び第２呼び出しグループに属した他の基地局ＢＳ２、ＢＳ３にバックボーンメッセージを転送して、前記端末が遊休モードに切り替えられたことを知らせる（Ｓ１３）。前記バックボーンメッセージを受信した各基地局は、前記端末を遊休モード端末リストに追加し、前記端末に呼び出しメッセージを転送しなければならない場合には、前記基地局の属した各呼び出しグループの呼び出し周期に合わせて前記呼び出しメッセージを転送する。
【００４７】
前記遊休モードに切り替えられた端末は、前記第１基地局から転送される呼び出しメッセージを呼び出し周期に合わせて受信するための動作を除く他の時間には下りトラフィックを受信しないことで、前記端末の電力消耗を減らす。また、前記端末が同じ呼び出しグループに属する基地局間を移動する場合、別のハンドオーバーを行わないことで、前記端末の電力消耗を減らすことができる。
【００４８】
前記第１基地局は、前記第１呼び出しグループ及び第２呼び出しグループに属しているため、前記第１呼び出しグループの呼び出し周期と第２呼び出しグループの呼び出し周期に合わせて前記第１基地局から転送される呼び出しメッセージを受信する（Ｓ１４）。
【００４９】
前記端末が前記第１基地局から第１呼び出しグループにのみ属した第２基地局へ移動すると、前記端末は、遊休モード状態を維持しながら、前記第２基地局から転送される前記第１呼び出しグループに対する呼び出しメッセージのみを受信する（Ｓ１５）。前記第１呼び出しグループに対する呼び出しメッセージのみ受信され、第２呼び出しグループに対する呼び出しメッセージは受信されないことを確認した前記端末は、自身が第１呼び出しグループの領域へ移動したと判断し、それ以降は第２呼び出しグループの呼び出しメッセージを受信するための動作を中断する。すなわち、前記端末は、第１呼び出しグループの呼び出し周期にのみ動作し、第２呼び出しグループの呼び出し周期には動作しない。
【００５０】
前記第１基地局は、前記端末が第２基地局へ移動した場合にも、第１呼び出しグループの呼び出しメッセージと第２呼び出しグループの呼び出しメッセージを、それぞれの呼び出し周期によって端末に転送する。この時、前記端末は、第２呼び出しグループの呼び出しメッセージを受信できなくても前記第１基地局に別の上りトラフィックを転送しない。
【００５１】
前記第１基地局で前記端末に対する下りトラフィックが発生すると（Ｓ１６）、前記第１基地局は、自身の属する第１呼び出しグループと第２呼び出しグループの他の基地局に、前記端末に対する下りトラフィックが発生したことを知らせるバックボーンメッセージを転送する（Ｓ１７）。
【００５２】
前記下りトラフィック発生を認知した前記第１呼び出しグループと第２呼び出しグループの基地局は、前記端末の遊休モードを終了し、ネットワーク再接続を指示する呼び出しメッセージをそれぞれの周期に合わせて前記端末に転送する（Ｓ１８）。この時、前記端末は、前記呼び出しメッセージに含まれた活動コードを通じて前記基地局の指示を確認する。
【００５３】
前記第２基地局から前記遊休モード終了を指示する呼び出しメッセージを受信した端末は、現在自身の属した第２基地局にレインジング要請メッセージを転送することによって遊休モードを終了し、ネットワーク再接続手順を始める（Ｓ１９）。
【００５４】
前記レインジング要請メッセージを受信した前記第２基地局は、前記第１基地局にバックボーンメッセージを転送して前記端末が現在自身の管理領域に属していることを知らせ、前記第１基地局で発生した下りデータを伝達（ｆｏｒｗａｒｄｉｎｇ）するように要請する（Ｓ２０）。
【００５５】
前記第１基地局は、前記第１呼び出しグループ及び第２呼び出しグループの基地局にバックボーンメッセージを転送して前記端末が遊休モードを終了したことを知らせ（Ｓ２１）、前記第２基地局に、前記端末に転送する下りデータを転送する（Ｓ２２）。前記自分の１基地局からバックボーンメッセージを受信した各基地局は、遊休モード端末リストから前記端末を削除する。
【００５６】
本発明による呼び出し情報割り当て方法で、端末が２つ以上の呼び出しグループに属した基地局に遊休モードを要請すると、前記基地局は、自身の属した全ての呼び出しグループの呼び出し情報を前記端末に割り当て、前記呼び出しグループの基地局は前記端末を遊休モード端末リストに追加して管理することによって、前記端末が呼び出し情報を持っている各呼び出しグループの領域を移動する場合には遊休モードを維持できるだけでなく、端末の電力消耗も減らすことができる。
【００５７】
図２は、本発明の他の実施例による呼び出し情報割り当て方法を示すフローチャートで、２つ以上の呼び出しグループに属する基地局が、セル内にある移動端末に、任意の優先順位に呼び出しグループの呼び出し情報を割り当てる場合を示している。
【００５８】
図２を参照すると、前記端末ＭＳＳは、遊休モードに切り替えるために自身の属する基地局ＢＳ１に遊休モード要請ＤＲＥＧ−ＲＥＱメッセージを転送する（Ｓ３１）。前記基地局は、第１呼び出しグループ及び第２呼び出しグループの２つの呼び出しグループに属する基地局である。
【００５９】
前記遊休モード要請メッセージを受信した前記基地局は、自身の属した呼び出しグループの中からどの呼び出しグループに対する呼び出し情報を前記端末に転送するかを決定する。前記呼び出しグループを決定する基準として様々な方案を考慮することができ、前記基地局の属した呼び出しグループ間の呼び出しロード（ｐａｇｉｎｇ  ｌｏａｄ）を基準として特定呼び出しグループを決定することが好ましい。すなわち、前記基地局は、自身の属した呼び出しグループ間の呼び出しロードを比較し、呼び出しロードの小さい呼び出しグループに対する呼び出しグループＩＤ、呼び出し周期、呼び出しオフセットを含む呼び出し情報を、遊休モード応答ＤＲＥＧ−ＣＭＤメッセージを通じて前記端末に転送することによって、前記端末が遊休モードに切り替えられるのを許可する（Ｓ３２）。
【００６０】
前記呼び出しロードは、各呼び出しグループに属する基地局から遊休モード状態にある端末へ転送する呼び出しメッセージのデータ量によって定義でき、遊休モード状態にある端末の個数が多いほど前記呼び出しロードは大きくなる。
【００６１】
前記第１呼び出しグループの呼び出しロードが第２呼び出しグループの呼び出しロードよりも小さいと仮定すれば、前記端末から遊休モード要請メッセージを受信した基地局は、前記第１呼び出しグループの呼び出しロードと第２呼び出しグループの呼び出しロードとを比較して、呼び出しロードのより小さい第１呼び出しグループの呼び出し情報を前記端末に転送する。
【００６２】
前記第１呼び出しグループの呼び出し情報を受信した端末は、前記第１呼び出しグループの呼び出し周期に合わせて前記基地局から転送される呼び出しメッセージを受信する（Ｓ３３）。
【００６３】
上記のように、２つ以上の呼び出しグループに属した基地局が、遊休モードに切り替える端末に、前記基地局に属した呼び出しグループのうち、呼び出しロードの小さい呼び出しグループの呼び出し情報を転送する方法においては、前記呼び出しグループの中で最も呼び出しロードの小さい１つの呼び出しグループに対する呼び出し情報を転送する、または、小さい呼び出しロードを持つ２つ以上の呼び出しグループの呼び出し情報を優先的に転送する。
【００６４】
以下、本発明の他の実施例による呼び出し情報割り当て方法について説明する。以下に説明される実施例は、基地局が遊休モード状態の端末に呼び出し情報を動的に割り当てる方法に関するものである。
【００６５】
基地局は、遊休モードに切り替える端末に転送する遊休モード応答メッセージＤＲＥＧ−ＣＭＤを通じて初期に呼び出し情報を割り当て、それから前記端末に呼び出し周期ごとに転送する呼び出しメッセージを用いて前記端末の呼び出し情報を変更できる。この時、前記呼び出し情報は、呼び出しグループＩＤ、呼び出し周期及び呼び出しオフセットを含む。
【００６６】
表７は、本発明の好ましい一実施例による呼び出しメッセージのフォーマットの一例を示すもので、表４に示された従来の呼び出しメッセージに呼び出し周期と呼び出しオフセットに対するフォーマットを追加し、前記呼び出し情報変更に対する活動コード（Ａｃｔｉｏｎ  Ｃｏｄｅ）を定義する。
【００６７】
【表７】
2008503978.tif 000007
前記基地局が特定遊休モード端末の呼び出し情報を変更する場合、遊休モード端末に周期的に転送する呼び出しメッセージを、表７のように変更されたフォーマットの呼び出しメッセージとして転送する。すなわち、前記基地局は、呼び出し周期及び呼び出しオフセットを変更しようとする値に設定し、活動コードを呼び出し情報変更（Ａｃｔｉｏｎ  ｃｏｄｅ＝００：Ｃｈａｎｇｅ  ｐａｇｉｎｇ  ｃｙｃｌｅ／ｏｆｆ  ｓｅｔ）に設定して該当端末に転送する。
【００６８】
前記呼び出しメッセージを受信した端末は、前記呼び出しメッセージ内の活動コードが呼び出し情報変更に設定されていると、前記呼び出し周期及び呼び出しオフセット項目に設定された値に呼び出し情報を変更し、それ以降は変更された呼び出し情報によって呼び出しメッセージを受信する。
【００６９】
前記基地局は、変更された呼び出し情報を持つ遊休モード端末に対する情報を、同じ呼び出しグループに属した他の基地局にバックボーンメッセージを通じて転送し、各基地局は変更された呼び出し周期と呼び出しオフセットに合わせて前記端末に呼び出しメッセージを転送する。
【００７０】
表８は、本発明の好ましい一実施例によって呼び出し情報の変更を知らせるバックボーンメッセージのデータフォーマットの一例を示すもので、バックボーンメッセージの活動コードに、呼び出し情報の変更を定義する活動コードを追加する。
【００７１】
【表８】
2008503978.tif 000008
前記バックボーンメッセージを受信した基地局は、前記バックボーンメッセージの活動コードを通じて呼び出し情報の変更に関連したバックボーンメッセージであることを確認し、前記呼び出し周期及び呼び出しオフセット項目に設定された値に呼び出し情報を変更する。
【００７２】
本発明は、本発明の精神及び必須特徴を逸脱しない範囲で他の特定の形態に具体化できることは、当業者にとっては自明である。したがって、上記の詳細な説明はあらゆる面において制約的に解釈されてはいけなく、例示的なものとして考慮されなければならない。本発明の範囲は、添付の特許請求の範囲の合理的な解釈によって決定されるべきであり、本発明の等価的範囲内における変更はいずれも本発明の範囲に含まれる。
【図面の簡単な説明】
【００７３】
【図１】本発明の好適な一実施例による遊休モード制御方法を示すフローチャートである。
【図２】本発明の他の実施例による遊休モード制御方法を示す流れ図である。
【図１】
2008503978.tif 000009
【図２】
2008503978.tif 000010
【国際調査報告】
2008503978.tif 000011
2008503978.tif 000012
2008503978.tif 000013